(57)【要約】【課題】固定接触子がモールドケースを通る窓穴部分に、隙間を生じさせないようにする。【解決手段】モールドケース１の側壁１ａに方形の窓穴１２があけられるともに、側壁１ａの外側に窓穴１２の下辺に連続する接触子支持面を有する台座１ｂが一体形成され、固定接触子３は接触子支持面１ｂ上に支持され、固定接点３ａ側の端部が窓穴１２を通してモールドケース１内に突出する電磁接触器において、窓穴１２の下辺部分から台座１ｂの接触子支持面１ｃに渡る凹部１３を設け、固定接触子３をモールドケース１に組み付ける際に、窓穴１２と凹部１３とを通過させて固定接触子３の固定接点側端部をモールドケース１内に挿入するようにする。これにより、窓穴１２の上辺側を広げることなく固定接点３ａを通過させることができ、固定接触子３の組み付け後に窓穴部分に隙間が生じない。【選択図】        図１
2004355927.tif 000002
【特許請求の範囲】
【請求項１】
モールドケースに保持された前後一対の固定接触子と、これらの固定接触子の間を橋絡する可動接触子とを各相別に有し、長方形の板導体からなる前記固定接触子は一端に固定接点が取り付けられるとともに他端に端子部が形成され、前記モールドケースには側壁に方形の窓穴があけられるともに、前記側壁の外側に前記窓穴の下辺に連続する接触子支持面を有する台座が一体形成され、前記固定接触子は前記接触子支持面上に支持され、固定接点側端部が前記窓穴を通して前記モールドケース内に突出する電磁接触器において、
前記窓穴の下辺部分から前記台座の接触子支持面に渡る凹部を設け、前記固定接触子を前記モールドケースに組み付ける際に、前記窓穴と凹部とを通過させて前記固定接触子の固定接点側端部を前記モールドケース内に挿入するようにしたことを特徴とする電磁接触器。
【請求項２】
前記固定接触子を端子部側を持ち上げて斜めに載置する案内台と、前記案内台にスライド可能に組み合わせた摺動子と、前記案内台をスライド可能に支持する基台とから構成し、前記案内台に載置した前記固定接触子を前記摺動子で押して前記案内台上で滑らせることにより、前記固定接触子の固定接点側端部を前記モールドケースの窓穴に挿入し、次いで前記案内台から滑落した前記固定接触子を前記案内台の端面で前記モールドケースに押し付けるようにしたことを特徴とする請求項１記載の電磁接触器の組立治具。
【発明の詳細な説明】
【０００１】
【発明の属する技術分野】
この発明は、電磁石操作により電路を開閉する電磁接触器に関し、詳しくは固定接触子取付部からの異物の浸入を防止した電磁接触器に関する。
【０００２】
【従来の技術】
電磁接触器は周知であり、例えば特許文献１や特許文献２に記載されているが、図９はこの発明の対象となる電磁接触器の概略構成を示す縦断面図である。図９において、電磁接触器は上部ケース１と下部ケース２とからなるモールドケースを備え、上部ケース１には前後一対の固定接触子３，３が各相別に保持されている。長方形の板導体からなる固定接触子３は、一端に固定接点３ａが取り付けられ他端に端子部３ｂが形成されている。端子部３ｂには下穴がバーリング加工されたねじ穴４が設けられており、図示しない端子ねじにより電線が締め付けられる。図示の場合、固定接触子３の端子部側端部はＬ形に折り曲げられ、このＬ曲げ部３ｃが下部ケース２の一部で押えられて抜け止めされている。
【０００３】
下部ケース２には、固定鉄心５と可動鉄心６とを備えた操作電磁石が収められ、固定鉄心５には電磁コイル７が装着されている。可動鉄心６は下部ケース２により、図９の上下方向に移動可動に案内されるとともに、電磁コイル７との間に挿入された復帰スプリング８により固定鉄心５から引き離されている。可動鉄心６には接触子支え９が連結され、この接触子支え９には固定接触子３，３の間を橋絡する可動接触子１０が接触スプリング１１とともに保持されている。可動接触子１０の両端には、固定接点３ａに対応する可動接点１０ａが取り付けられている。上部ケース１には側壁１ａに方形の窓穴１２が設けられ、側壁１ａの外側に台座１ｂが一体形成されている。台座１ｂは窓穴１２の下辺に連続する接触子支持面１ｃを有し、接触子支持面１ｃ上に支持された固定接触子３は固定接点側端部が窓穴１２を通して上部ケース１内に突出している。この固定接触子３は、Ｌ曲げ部３ｃに被さる下部ケース２により固定されている。
【０００４】
図示電磁接触器において、電磁コイル７が励磁されると可動鉄心６が復帰スプリング８に抗して固定鉄心５に吸引され、可動鉄心６と一体の接触子支え９に保持された可動接触子１０は引き下げられて固定接触子３，３間を橋絡する。これにより、端子部３ｂ，３ｂ間の電路が閉路される。その際、接触スプリング１１が圧縮され、接点３ａ，１０ａ間に適度の接触圧力が与えられる。電磁コイル７が消磁されると、復帰スプリング８の復元力により図示状態に復帰する。
【０００５】
図１０は図９における固定接触子取付部分の１相分の分解斜視図、図１１は同じく固定接触子取付状態の斜視図、図１２は図１１の縦断面図である。図１０に示すように、台座１ｂの上面の接触子支持面１ｃには、バーリング加工によりねじ穴４の回りに突出した円筒状部を収容する溝１ｄが設けられるとともに、溝１ｄの底部に図示しない端子ねじを受け入れる円柱状の凹部がねじ穴４と同心に設けられ、また台座１ｂの外側面には固定接触子３のＬ曲げ部３ｃを収容する溝１ｅが設けられている。しかして、固定接触子３は接触子支持面１ｃと平行に上部ケース１に挿入され、図１１に示すように組み付けられる。
【０００６】
【特許文献１】
特開平  ５−    ２９６２号公報
【特許文献２】
特開平１１−３１２４４９号公報
【０００７】
【発明が解決しようとする課題】
上記した固定接触子３の組み付けにおいて、固定接触子３は台座１ｂの接触子支持面１ｃ上を摺動して窓穴１２に挿入されるが、その際、窓穴１２は固定接触子３の板導体と一緒に固定接点３ａを通過させる。そのため、窓穴１２は、横幅方向は固定接触子３の板導体と同じ大きさでよいが、高さ方向は固定接触子３の板導体の厚さに加えて、固定接点３ａの高さ分だけ上辺側を広げる必要がある。ところが、このような窓穴１２は、固定接触子３ａを上部ケース１に組み付けた図１１の最終状態では、窓穴１２を貫通する固定接触子３の板導体の上方に、固定接点３ａの高さ分の隙間Ｓが残る。しかし、固定接点３ａの近傍に外部に開放した隙間Ｓが残ると、この部分から異物が浸入して固定・可動接点３ａ，４ａ間に付着し、最悪の場合は導通不良を引き起こす恐れがある。
【０００８】
この発明は、従来のこのような問題に対処するもので、その課題は固定接触子が通る窓穴部分に、外部に開放した隙間を生じさせないようにすることにある。
【０００９】
【課題を解決するための手段】
上記課題を解決するために、この発明は、モールドケースに保持された前後一対の固定接触子と、これらの固定接触子の間を橋絡する可動接触子とを各相別に有し、長方形の板導体からなる前記固定接触子は一端に固定接点が取り付けられるとともに他端に端子部が形成され、前記モールドケースには側壁に方形の窓穴があけられるともに、前記側壁の外側に前記窓穴の下辺に連続する接触子支持面を有する台座が一体形成され、前記固定接触子は前記接触子支持面上に支持され、固定接点側端部が前記窓穴を通して前記モールドケース内に突出する電磁接触器において、前記窓穴の下辺部分から前記台座の接触子支持面に渡る凹部を設け、前記固定接触子を前記モールドケースに組み付ける際に、前記窓穴と凹部とを通過させて前記固定接触子の固定接点側端部を前記モールドケース内に挿入するようにする（請求項１）。
【００１０】
上記請求項１の発明によれば、窓穴及びその下辺側の凹部を用いて固定接触子の固定接点側端部を通過させることにより、窓穴の上辺側を広げる必要がなく、従って固定接触子組み付け状態で窓穴部分に隙間が生じない。また、窓穴の下辺側の凹部は、固定接触子組み付け状態では固定接触子に覆われるため外部には開放しない。
【００１１】
請求項１の発明において、前記固定接触子を端子部側を持ち上げて斜めに載置する案内台と、前記案内台にスライド可能に組み合わせた摺動子と、前記案内台をスライド可能に支持する基台とから構成し、前記案内台に載置した前記固定接触子を前記摺動子で押して前記案内台上で滑らせることにより、前記固定接触子の固定接点側端部を前記モールドケースの窓穴に挿入し、次いで前記案内台から滑落した前記固定接触子を前記案内台の端面で前記モールドケースに押し付けるようにした組立治具を用いるとよい（請求項２）。
【００１２】
【発明の実施の形態】
以下、図９で示した従来例にこの発明を適用した実施の形態について説明する。なお、従来例と対応する部分には同一の符号を用いるものとする。図１は電磁接触器の固定接触子部分の断面図、図２はその一相分の斜視図である。図１及び図２において、従来例と相違するのは、上部ケース１の窓穴１２の下辺部分から台座１ｂの接触子支持面１ｃに渡るように、窓穴１２と同幅の凹部１３が設けられるとともに、窓穴１２の大きさは幅も高さも固定接触子３の板導体と同じになっている点である。
【００１３】
図３及び図４は、上部ケース１への固定接触子３の組み付け方法を示すもので、図３は縦断面図、図４は斜視図である。図３及び図４において、固定接触子３を上部ケース１に組み付ける際には、図示の通り固定接触子３の端子部３ｂ側の端部を持ち上げて斜めにし、固定接点３ａ側の端部を窓穴１２と凹部１３とを通過させて上部ケース１内に挿入する。図１及び図２はこの組み付け後の状態を示すもので、固定接触子３を受座１ｂの接触子支持面１ｃ上に支持させた図示最終状態では、固定接触子３の板導体は窓穴１２の上辺に近接し、従来のような隙間は生じない。また、凹部１３は側壁１ａの内外を連通するが、この凹部１３は固定接触子で覆われるため外部に対して密閉され、凹部１３から塵埃が浸入する恐れはない。
【００１４】
図５及び図６は、上記した固定接触子３の組み付け作業に適した組立治具を示すものである。組立治具１４は、固定接触子３を支持する案内台１５と、案内台１５にスライド可能に組み合わされた摺動子１６と、案内台１５をスライド可能に支持する基台１７とからなっている。案内台１５は上面中心に前後方向（図５の左右方向）の溝１８を有し、摺動子１６は下面の突起１６ａが溝１８に嵌合して案内台１５上を前後にスライドする。溝１８は前端が閉じられ、その前端面は摺動子１６を位置規制するストッパを形成している。また、案内台１５も下面の突条１５ａが基台１７の上面の溝に嵌合し、基台１７上を前後にスライドする。
【００１５】
組立治具１４を用いて固定接触子３を上部ケース１に組み付けるには、組立治具１４を図６に示すように上部ケース１に若干の隙間を介して対面させ、図５に示すように固定接触子３を端子部３ａ側を持ち上げて案内台１５上に斜めに載置する。次いで、摺動子１６で押して固定接触子３を案内台１５上で滑らせ、図７に示すように固定接点３ａ側の端部を上部ケース１の窓穴１２に挿入する。
【００１６】
やがて、摺動子１６がストッパに突き当たり、図７に示すように固定接触子３は案内台１５から自重により滑落する。摺動子１６を更に前方に進めると、図８に示すように案内台１６が基台１７上で前方にスライドし、固定接触子３を案内台１５の端面で上部ケース１に押し付ける。これにより、固定接触子３のＬ曲げ部３ｃ（図５）が溝１ｅ（図３）に嵌入し、図１に示す状態に組み付けられる。なお、図示固定接触子３はＬ曲げ部３ｃを利用して、案内台１５上に斜めに載置したが、Ｌ曲げ部３ｃを持たない固定接触子の場合には、端子部側の端部を摺動子１６に凭せ掛けて斜め姿勢にするようにする。
【００１７】
【発明の効果】
以上の通り、この発明によれば、固定接触子を挿入するモールドケースの窓穴の下辺部側に凹部を設けることにより、窓穴の上辺部を広げることなく固定接触子の固定接点側端部の通過を可能にし、固定接触子組み付け後に窓穴部に隙間を生じさせることによる異物の浸入を有効に回避することができる。
【図面の簡単な説明】
【図１】この発明の実施の形態を示す電磁接触器の固定接触子部分の縦断面図である。
【図２】図１の斜視図である。
【図３】図１の電磁接触器において、固定接触子をモールドケースに組み付ける作業を示す縦断面図である。
【図４】図３の斜視図である。
【図５】図１の固定接触子をモールドケースに組み付けるための組立治具を示す縦断面図である。
【図６】図５の斜視図である。
【図７】図５の組立治具により固定接触子をモールドケースに挿入した状態を示す斜視図である。
【図８】図７の固定接触子を組立治具によりモールドケースに押し付けた状態を示す斜視図である。
【図９】従来の電磁接触器を示す縦断面図である。
【図１０】図９の固定接触子部分の分解斜視図である。
【図１１】図１０の固定接触子をモールドケースに組み付けた状態の斜視図である。
【図１２】図１１の縦断面図である。
【符号の説明】
１    上部ケース
１ａ  側壁
１ｂ  受座
１ｃ  支持面
３    固定接触子
３ａ  固定接点
３ｂ  端子部
１２    窓穴
１３    凹部
１４    組立治具
１５    案内台
１６    摺動子
１７    基台
【図１】
2004355927.tif 000003
【図２】
2004355927.tif 000004
【図３】
2004355927.tif 000005
【図４】
2004355927.tif 000006
【図５】
2004355927.tif 000007
【図６】
2004355927.tif 000008
【図７】
2004355927.tif 000009
【図８】
2004355927.tif 000010
【図９】
2004355927.tif 000011
【図１０】
2004355927.tif 000012
【図１１】
2004355927.tif 000013
【図１２】
2004355927.tif 000014